(57)【特許請求の範囲】
【請求項１】
システムキッチン等のカウンタートップと、前記カウンタートップに設けた穴部と、前記カウンタートップに周端を係止させ且つその下部を前記穴部に落とし込む上ユニット部と、前記上ユニット部側面に設けた固定ビス用のネジ部と、前記上ユニット部下面に吊り下げ構成の下ユニット部と、前記下ユニット部前面上方に固着した固定台と、板金製で断面略コ字型で貫通穴と挟圧するビス用のネジ部とを有する締結板と、前記締結版を前記固定台の上部に断面略コ字型の開口側をかぶせるように乗せ、前記締結板の貫通穴に挿入し前記上ユニット部のネジ部に係合させ締めると前記下ユニット部が所定の位置にくる前記固定ビスと、押え板を前記締結版の前面に位置させ、前記押え板が有する長穴と前記固定台に設けた穴とに通し前記締結板のネジ部に締め付けると前記押え板と前記締結板と前記固定台とを挟圧する前記挟圧するビスと、前記固定ビスのネジ頭を押さえる前記押え板とを有するビルトイン型調理器。
【請求項２】
固定台に挟圧するビスを通す長穴を設けた請求項１記載のビルトイン型調理器。
【発明の詳細な説明】
【０００１】
【発明の属する技術分野】
本発明は、一般家庭のシステムキッチンに設置して使用する本体上部にシーズヒーターや、セラミックのプレート下部に電磁誘導加熱式ヒーター等の加熱装置を有する電気調理器に関するものである。
【０００２】
【従来の技術】
従来、日本の一般家庭では、ガスや電気等の調理器具は据置型が主流であった。ところが最近、台所もシステムキッチンと呼ばれる外観を重視した形になってきており、これにセットされるビルトイン型調理器は施工のための工事が必要であった。このため、この設置工事が容易なビルトイン型調理器が要望されていた。
【０００３】
【発明が解決しようとする課題】
従来からのシステムキッチン等に組み込むタイプの調理器は、従来からのシステムキッチン等に組み込むタイプの調理器は、大きく上ユニットと下ユニットからなり、特に下ユニットを固定する施工が複雑になり、手間がかかるといった問題があった。
【０００４】
そこで、本発明は上記従来の問題点を解消するもので、簡単な部品と簡単な作業で、下ユニット部を上ユニット部に固定できるビルトイン型調理器を提供することを第１の目的とする。
【０００５】
さらに、上ユニット部と下ユニット部の左右方向の位置ズレがあっても、簡単な部品と簡単な作業で、下ユニット部を上ユニット部に、固定できるビルトイン型調理器を提供することを第２の目的とする。
【０００６】
【課題を解決するための手段】
そして上記の第１の目的を達成するために、本発明の第１の手段は、システムキッチン等のカウンタートップと、前記カウンタートップに設けた穴部と、前記カウンタートップに周端を係止させ且つその下部を前記穴部に落とし込む上ユニット部と、前記上ユニット部側面に設けた固定ビス用のネジ部と、前記上ユニット部下面に吊り下げ構成の下ユニット部と、前記下ユニット部前面上方に固着した固定台と、板金製で断面略コ字型で貫通穴と挟圧するビス用のネジ部とを有する締結板と、前記締結版を前記固定台の上部に断面略コ字型の開口側をかぶせるように乗せ、前記締結板の貫通穴に挿入し前記上ユニット部のネジ部に係合させ締めると前記下ユニット部が所定の位置にくる前記固定ビスと、押え板を前記締結版の前面に位置させ、前記押え板が有する長穴と前記固定台に設けた穴とに通し前記締結板のネジ部に締め付けると前記押え板と前記締結板と前記固定台とを挟圧する前記挟圧するビスと、前記固定ビスのネジ頭を押さえる前記押え板とを有するビルトイン型調理器とするものである。
【０００７】
さらに、第２の目的を達成するために、本発明の第２の手段は、第１の手段に加えて固定台に挟圧するビスを通す長穴を設けたビルトイン型調理器とするものである。
【０００８】
【発明の実施の形態】
本発明は上記した第１の手段により、固定ビスを上ユニット部側面の固定ビス用ネジ部に締結させ、所定の位置で、固定ビスのネジ頭を押さえる状態に押え板を移動させた後、挟圧するビスを押え板が有する長穴と固定台に設けた穴に通し締結板のネジ部に締め付けて押え板と締結板と固定台とを挟圧して固定すれば、下ユニット部を上ユニット部に固定できることになる。
【０００９】
また、第２の手段により、固定ビスを上ユニット部側面の固定ビス用ネジ部に締結させ、所定の位置で、固定ビスのネジ頭を押さえる状態に押え板を移動させた後、挟圧するビスを前記締結板の穴と前記固定台に設けた穴とに通し前記締結板のネジ部に締め付けて前記押え板と前記締結板と前記固定台とを挟圧して固定すれば、下ユニット部を上ユニット部に固定できることになる。しかも固定台に設けた挟圧するビスを通す長穴で、締結板が左右に長穴の寸法だけ可動できるので、上ユニットと下ユニットの左右の位置ずれの調整が可能となる。
【００１０】
【実施例】
（参考例１）
以下、本発明の第１の参考例について説明する。図１〜図４は第１の参考例におけるビルトイン型調理器を示す図である。図１〜図４において、１１は板金製で加熱源を内蔵した電気調理器の本体、１２は本体側面、１３は前記本体１１上部を構成する周縁、１４は前記本体側面１２に設けた第１のネジ部であり、本体側面１２に垂直の場合と、前記本体側面１２に凹部を構成し、角度を設けた場合とがあり、図１は角度を設けた場合のみ示している。１５は第１の固定金具であり、長方形の板金製で長穴の抜き穴１６、十字型の抜き穴１７を有している。１８は第１の固定ビスであり、長穴の抜き穴１６や、十字型の抜き穴１７を貫通させて第１のネジ部１４に締結することにより、周縁１３と固定金具１５が圧着されて本体１１がカウンタートップ１９に固着される。また、十字型の抜き穴１７の場合、縦方向にも横方向にも使用できるため、カウンタートップ１９の板厚の変化に対応が容易にできる。また、第１のネジ部を本体側面１２に対して、角度を設けた場合には、真横からではなく、第１の固定金具１５の傾きに合った手前下から第１の固定ビス１８を締結出来るので、ドライバーを使用する施工時の作業性が良くなるだけでなく、第１の固定ビス１８のビス頭と第１の固定金具１５との接触面積が大きくなり、締結も容易になる。２０はカウンタートップ１９に設けられた穴部であり、本体１１を落とし込むための穴である。本体１１を穴部２０に落とし込む前は、第１の固定金具１５を本体側面１２に重ねた状態で、第１の固定ビス１８を第１のネジ部１４に締め込めば、本体側面１２からの出っ張りは５〜６ｍｍ程度となるので、本体１１を穴部２０に落とし込む場合には、邪魔になることなく設置できる。
【００１１】
（参考例２）
図５〜１０は第２の参考例におけるビルトイン型調理器を示すものである。
【００１２】
図５〜図１０において、１９は、カウンタートップであり、穴部２０を有している。３１は本体３２の上端に設けたフランジであり、前記カウンタートップ１９上に係止されている。３３は、本体側面３４に設けた複数のスリット穴の櫛型溝穴、３５は櫛形溝穴３３の近傍に設けられた第２のネジ部である。３６は固定板であり、略長方形型でその片端に貫通穴３７を有している。３８はコイルばねであり、固定ビス３９が固定板３６とコイルばね３８を介して、第２のネジ部３５に締結されている。固定板３６の他端は櫛型溝穴３３に挿入されて、カウンタートップ１９の下端に当たって固定される。４０は櫛型溝穴３３と第２のネジ部３５を有する板金製の櫛型板であり、本体側面３４にスポット溶接で固着されている。
【００１３】
（実施例１）
図１１〜図１６は第１の実施例におけるビルトイン型調理器を示すものである。
【００１４】
図１１〜図１６において、１９は、カウンタートップであり、５１は、板金製で加熱源を内蔵した電気調理器の本体である上ユニット部、５２は、上ユニット部５１の側面に設けた第４のネジ部、５３は上ユニット部５１にレール等で吊り下げられた下ユニット部である。５４は下ユニット部５３の前面上方に固着した固定台、５５は板金製で断面略コ字型で貫通穴５６と第３のネジ部５７を有する締結板、５８は前記貫通穴５６に挿入する第３の固定ビス、５９は、板金製で第２の長穴６０を有する押え板である。前記締結板５５は、前記固定台５４の上部に、断面略コ字型の開口側をかぶせるように乗せ、さらに前記押え板５９を前記締結板５５の前面に位置させている。６１は、第３のネジ部５７に係合するビスＥであり、押板５９と、締結板５５と固定台５４とを挟圧している。６２は固定台５４に設けられた第１の長穴であり、前記ビスＥ６１を貫通させている。６３は固定台５４の板金の一部を切り起こした形状の当て板であり、締結板５５のビスＥ６１の挟圧時の当たりになっている。
【００１５】
以上のように構成された電気調理器について、その動作を説明する。第１の固定ビス１８を長穴のぬき穴１６を貫通させて第１のネジ部１４に係合させるので、第１の固定金具１５は、カウンタートップ１９の板厚に応じて、当たり面の位置や角度を変えて、使用することができる。また、取付前には、第１の固定金具１５は本体側面１２に重ねるように固定できるので、第１の固定金具１５の出っ張りは、少なく、穴部２０へのセットは容易にできる。
【００１６】
第１の固定金具１５の取付方向が縦横両方が可能となるので、カウンタートップ１９の板厚の変化が大きくても、取付が可能となる。
【００１７】
第１の固定金具１５の傾きにあった、手前下から、固定ビス１８を締結できることになる。
【００１８】
固定板３６はコイルばね３８で上方に付勢されており、固定ビス３９をドライバーで締めていくと、始めは固定板３６の先端が回転して、カウンタートップ１９の端面に当たるため、固定板３６は櫛型溝穴３３に挿入されることはない。しかし、固定ビス３９を締め続けると、固定板３６の先端がカウンタートップ１９の端面に当たらなくなると同時に、固定板３６が櫛型溝穴３３に挿入される。さらに、このまま固定ビス３９を締め続けると固定板３６が、櫛型溝穴３３の端面を支点にして、カウンタートップ１９に固定されることになる。
【００１９】
さらに櫛型板４０が別部品であるため、小型の部品として加工した後、スポット溶接で後付けできることになる。
【００２０】
上ユニット部５１が、カウンタートップ１９に固定された後、第３の固定ビス５８を第４のネジ部５２に係合させ締め続けて、下ユニット部５３が、所定の位置にくると、押え板５９をスライドさせ、第３の固定ビス５８のネジ頭をカバーした後、ビスＥ６１を締め付ける。この状態で、下ユニット部５３は上ユニット部５１に固定されることになる。
【００２１】
固定台５４には、第１の長穴６２が設けてあるので、ビスＥ６１が左右に可動できるので、これに応じて、締結板５５に取り付けられた第３の固定ビス５８も左右方向の調整が可能となる。この結果、上ユニット部５１と、下ユニット部５３とに左右の方向のズレがあっても、固定が可能となる。
【００２２】
【発明の効果】
以上のように請求項１に記載の発明によれば、簡単な部品と簡単な作業で、下ユニット部を上ユニット部に、固定できるので、設置作業性が向上するという効果がある。
【００２３】
また、請求項２に記載の発明によれば、上ユニット部と下ユニット部の左右方向の位置ズレがあっても、簡単な部品と簡単な作業で、下ユニット部を上ユニット部に、固定できるので、設置作業性が向上するという効果がある。
【図面の簡単な説明】
【図１】本発明の第１の参考例における部分側面断面図
【図２】（ａ）本発明の第１の参考例における第１の固定金具の正面図
（ｂ）同第１の固定金具の側面図
【図３】（ａ）本発明の第１の参考例における第１の固定金具の正面図
（ｂ）同第１の固定金具の側面図
【図４】（ａ）本発明の第１の参考例における第１の固定金具の縦向きの取付状態の見取り図
（ｂ）同第１の固定金具の横向きの取付状態の見取り図
【図５】本発明の第２の参考例における部分側面断面図
【図６】同部分正面断面図
【図７】本発明の第２の参考例における部分側面断面図
【図８】同部分正面断面図
【図９】（ａ）本発明の第２の参考例における櫛型板の正面図
（ｂ）同櫛型板の平面図
【図１０】本発明の第２の参考例における固定板の正面図
【図１１】本発明の第１の実施例における見取り図
【図１２】（ａ）本発明の第１の実施例における固定台、第３の固定ビス、締結板、押え板の組立正面図
（ｂ）同固定台、第３の固定ビス、締結板、押え板の組立平面図
【図１３】（ａ）本発明の第１の実施例における固定台、第３の固定ビス、締結板、押え板のスライド前の組立見取り図
（ｂ）同固定台、第３の固定ビス、締結板、押え板のスライド後の組立見取り図
【図１４】（ａ）本発明の第１の実施例における固定台の正面図
（ｂ）同固定台の平面図
（ｃ）同固定台の側面図
【図１５】（ａ）本発明の第１の実施例における締結板の正面図
（ｂ）同締結板の平面図
（ｃ）同締結板の側面図
【図１６】（ａ）本発明の第１の実施例における押え板の正面図
（ｂ）同押え板の側面図
【符号の説明】
１１  本体
１２  本体側面
１３  穴部
１４  第１のネジ部
１５  第１の固定金具
１６  長穴の抜き穴
１８  第１の固定ビス
１９  カウンタートップ
３３  櫛型溝穴
３５  第２のネジ部
３６  固定板
３８  コイルばね
３９  第２の固定ビス
４０  櫛型板
５１  上ユニット部
５２  第４のネジ部
５３  下ユニット部
５４  固定台
５５  締結板
５６  貫通穴
５７  第３のネジ部
５８  第３の固定ビス
５９  押え板
６０  第２の長穴
６２  第１の長穴
【図１】
0003541818.tif 000002
【図２】
0003541818.tif 000003
【図３】
0003541818.tif 000004
【図４】
0003541818.tif 000005
【図５】
0003541818.tif 000006
【図６】
0003541818.tif 000007
【図７】
0003541818.tif 000008
【図８】
0003541818.tif 000009
【図９】
0003541818.tif 000010
【図１０】
0003541818.tif 000011
【図１１】
0003541818.tif 000012
【図１２】
0003541818.tif 000013
【図１３】
0003541818.tif 000014
【図１４】
0003541818.tif 000015
【図１５】
0003541818.tif 000016
【図１６】
0003541818.tif 000017